(57)【要約】【課題】ユーザー相互の接近を利用してユーザーによる未処理のアクションに関するコミュニケーションの活性化を図る場合に、ユーザーに未処理のアクションの存在を認識させることが可能な携帯通信装置を提供する。【解決手段】近距離無線通信によって通信範囲内の他の携帯通信装置（例えば第２の携帯通信装置３ｂ）のユーザー（例えば第２のユーザーＢ）を識別するユーザーＩＤを取得する識別情報取得部１７と、取得したユーザーＩＤに基づいて他の携帯通信装置のユーザーから要求されている特定操作の未処理のアクションである未読の電子メールを検索する検索部１９と、検索部１９で検索された未読の電子メールが存在する場合に、未読の電子メールの存在を自装置のユーザー（例えば第１のユーザーＡ）に通知する通知部２１とを備える。【選択図】図２
2016208459.tif 000002
【特許請求の範囲】
【請求項１】
無線通信によって通信範囲内の他の携帯通信装置のユーザーを識別するユーザー識別情報を取得する識別情報取得部と、
前記取得したユーザー識別情報に基づいて前記他の携帯通信装置のユーザーから要求されている特定操作の未処理のアクションを検索する検索部と、
前記検索部で検索された未処理のアクションが存在する場合に、前記未処理のアクションの存在を自装置のユーザーに通知する通知部と、
を備えることを特徴とする携帯通信装置。
【請求項２】
請求項１記載の携帯通信装置であって、
前記通知部は、前記未処理のアクションに対する操作画面を前記通知として表示し、前記自装置のユーザーによる前記未処理のアクションを処理済みとするための操作を受け付ける、
ことを特徴とする携帯通信装置。
【請求項３】
無線通信によって通信範囲内の他の携帯通信装置のユーザーを識別するユーザー識別情報を取得する識別情報取得部と、
前記取得したユーザー識別情報に基づいて自装置のユーザーから前記他の携帯通信装置のユーザーへ要求している特定操作の未処理のアクションを検索する検索部と、
前記検索部で検索された未処理のアクションが存在する場合に、前記未処理のアクションの存在を前記自装置のユーザーに通知する通知部と、
を備えることを特徴とする携帯通信装置。
【請求項４】
請求項３記載の携帯通信装置であって、
前記通知部は、前記未処理のアクションに対する前記他の携帯通信装置のユーザーによる前記未処理のアクションを処理済みとするための操作を受け付ける操作画面を前記通知として表示する、
ことを特徴とする携帯通信装置。
【請求項５】
請求項１〜４の何れか１項に記載の携帯通信装置であって、
前記通知部は、前記未処理のアクションの存在を前記他の携帯通信装置のユーザーに通知する、
ことを特徴とする携帯通信装置。
【請求項６】
無線通信によって通信範囲内の他の携帯通信装置のユーザーを識別するユーザー識別情報を取得する識別情報取得機能と、
前記取得したユーザー識別情報に基づいて前記他の携帯通信装置のユーザーから要求されている特定操作の未処理のアクションを検索する検索機能と、
前記検索機能で検索された未処理のアクションが存在する場合に、前記未処理のアクションの存在を自装置のユーザーに通知する通知機能と、
をコンピューターに実現させることを特徴とする携帯通信装置のプログラム。
【請求項７】
無線通信によって通信範囲内の他の携帯通信装置のユーザーを識別するユーザー識別情報を取得する識別情報取得機能と、
前記取得したユーザー識別情報に基づいて自装置のユーザーから前記他の携帯通信装置のユーザーへ要求している特定操作の未処理のアクションを検索する検索機能と、
前記検索機能で検索された未処理のアクションが存在する場合に、前記未処理のアクションの存在を前記自装置のユーザーに通知する通知機能と、
をコンピューターに実現させることを特徴とする携帯通信装置のプログラム。
【発明の詳細な説明】
【技術分野】
【０００１】
本発明は、未読の電子メール等の未処理のアクションをユーザーに通知する携帯通信装置及びそのプログラムに関する。
【背景技術】
【０００２】
電子メールによるコミュニケーションでは、文書等の送受信を迅速に行うことができるので利便性が高いが、電子メールの送受信には、送信ユーザー及び受信ユーザーの双方が情報処理装置等で専用のソフトを起動する必要がある。
【０００３】
このため、受信ユーザーは、送信ユーザーから電子メールが送信された後にソフトの起動を行っていないと、送信ユーザーから電子メールが送信されていることを認識していないことがある。
【０００４】
オフィス等においては、電子メールの送信ユーザーと受信ユーザーとが偶然接近することがあるため、両者の接近を利用してコミュニケーションの活性化が図ることができれば、受信ユーザーが電子メールを認識していない場合等でも、会話を通じて送信ユーザーから受信ユーザーに電子メールの内容を伝えるといったことも可能となる。
【０００５】
特許文献１及び２には、近距離無線通信を用いて、接近したユーザー間のコミュニケーションを活性化する技術が開示されている。
【０００６】
特許文献１及び２の技術は、特定のユーザー同士が接近した場合に、接近した回数に応じて両ユーザーが所有する携帯通信装置上での親密度を表現するものであり、ユーザー同士の接近を通知することも可能である。
【０００７】
しかし、特許文献１及び２の技術を電子メールによるコミュニケーションに利用しても、受信ユーザーに対して未読状態の電子メールを認識させることはできず、偶然生まれた受信ユーザー及び送信ユーザー間での会話の機会を有効活用することができないおそれがある。
【０００８】
このように、特許文献１及び２の技術を利用しても、ユーザー相互の接近を利用して未処理のアクション（未読の電子メール等）に関するコミュニケーションの活性化を図ろうとしても、未処理のアクションをユーザーに認識させることができないことによる問題があった。
【先行技術文献】
【特許文献】
【０００９】
【特許文献１】特開２０１２−１４２７７７号公報
【特許文献２】特開２０１２−１４２９２４号公報
【発明の概要】
【発明が解決しようとする課題】
【００１０】
本発明が解決しようとする問題点は、ユーザー相互の接近を利用してユーザーによる未処理のアクションに関するコミュニケーションの活性化を図る場合に、ユーザーに未処理のアクションの存在を認識させることができない点である。
【課題を解決するための手段】
【００１１】
本発明は、無線通信によって通信範囲内の他の携帯通信装置のユーザーを識別するユーザー識別情報を取得する識別情報取得部と、前記取得したユーザー識別情報に基づいて前記他の携帯通信装置のユーザーから要求されている特定操作の未処理のアクションを検索する検索部と、前記検索部で検索された未処理のアクションが存在する場合に、前記未処理のアクションの存在を自装置のユーザーに通知する通知部とを備える携帯通信装置を特徴とする。
【００１２】
また、本発明は、無線通信によって通信範囲内の他の携帯通信装置のユーザーを識別するユーザー識別情報を取得する識別情報取得部と、前記取得したユーザー識別情報に基づいて自装置のユーザーから前記他の携帯通信装置のユーザーへ要求している特定操作の未処理のアクションを検索する検索部と、前記検索部で検索された未処理のアクションが存在する場合に、前記未処理のアクションの存在を前記自装置のユーザーに通知する通知部とを備える携帯通信装置を特徴とする。
【発明の効果】
【００１３】
本発明によれば、自装置のユーザー及び他の携帯通信装置のユーザー相互の接近を利用して、未処理のアクションに関するコミュニケーションの活性化を図る場合に、自装置のユーザーに未処理のアクションの存在を認識させることができる。
【図面の簡単な説明】
【００１４】
【図１】本発明の実施例１に係る携帯通信装置を有するコミュニケーションシステムを示す概念図である。
【図２】図１の携帯通信装置の詳細を示すブロック図である。
【図３】図２の携帯通信装置の操作画面の一例を示す概略図である。
【図４】本発明の実施例１に係る未読の電子メールの通知処理の流れを示すフローチャートである。
【図５】本発明の実施例２に係る携帯通信装置を有するコミュニケーションシステムを示す概念図である。
【図６】携帯通信装置の操作画面の一例を示す概略図である。
【図７】本発明の実施例２に係る未承認の承認要求の通知処理の流れを示すシーケンス図である。
【発明を実施するための形態】
【００１５】
ユーザー相互の接近を利用してユーザーによる未処理のアクションに関するコミュニケーションの活性化を図る場合に、ユーザーに未処理のアクションの存在を認識させるという目的を、無線通信によって通信範囲内の他の携帯通信装置のユーザーを識別するユーザー識別情報を取得し、ユーザー識別情報に基づいて他の携帯通信装置のユーザーから要求され又は他の携帯通信端末のユーザーに要求している未処理のアクションを自装置のユーザーに通知することにより実現した。
【実施例１】
【００１６】
［コミュニケーションシステムの構成］
図１は、本発明の実施例１に係る携帯通信装置を有するコミュニケーションシステムを示す概念図である。
【００１７】
コミュニケーションシステム１は、第１のユーザーＡ及び第２のユーザーＢの相互の接近を利用して、未処理のアクションとしての未読の電子メールに関するコミュニケーションの活性化を図るものである。
【００１８】
実施例１のコミュニケーションシステム１は、第１のユーザーＡが所持する第１の携帯通信装置３ａ、第２のユーザーＢが所有する第２の携帯通信装置３ｂ、及びサーバー５を備えている。なお、図１の例では、第１及び第２のユーザーＡ及びＢの第１及び第２の携帯通信装置３ａ及び３ｂのみを示しているが、更に別のユーザーの携帯通信装置を備えることも可能である。
【００１９】
第１及び第２の携帯通信装置３ａ及び３ｂは、多機能携帯電話機やタブレット端末等であり、ビーコンを利用した近距離無線通信を可能とする。すなわち、第１及び第２の携帯通信装置３ａ及び３ｂは、近距離無線通信により通信範囲内の他の通信端末装置のユーザーを識別するためのユーザー識別情報（以下、「ユーザーＩＤ」と称する）を取得する。
【００２０】
そして、第１の携帯通信装置３ａでは、サーバー５に第２の携帯通信装置３を所有する第２のユーザーＢから自装置の所有ユーザーである第１のユーザーＡに送信された未読の電子メールが存在する場合に、第１のユーザーＡに未読の電子メールの存在を通知する。
【００２１】
なお、図１の例では、第１の携帯通信装置３ａで第２のユーザーから送信された未読の電子メールを第１のユーザーに通知する場合を示している。
【００２２】
同様に、図１に示していないが、第２の携帯通信装置３ｂでは、サーバー５に第１のユーザーＡから第２のユーザーＢへ送信された未読の電子メールが存在する場合に、第２のユーザーＢに未読の電子メールの存在を通知可能とする。
【００２３】
サーバー５は、ユーザー毎にユーザーＩＤに関連付けて電子メールを管理するサーバー装置であり、第１及び第２のユーザーＡ及びＢが情報処理装置等によって送信した電子メールを指定された宛先に送信する。なお、電子メールは、第１及び第２の携帯通信装置３ａ及び３ｂからも送信可能である。
【００２４】
また、サーバー５は、指定された宛先に送信した電子メールが閲覧等された場合に、送信先の情報処理装置等から既読通知を受信して対応する電子メールを既読にする。このため、未読の電子メールは、第１又は第２のユーザーＢである送信ユーザーから特定操作である閲覧（既読化）が要求されている未処理のアクションとなっている。
【００２５】
実施例１において、第１のユーザーＡ及び第２のユーザーＢが相互に接近したときには、未読の電子メールの存在の通知を通じ、第１及び第２の携帯通信装置３ａ及び３ｂ（図１で第１の携帯通信装置３ａ）での未読の電子メールに対する既読化を可能とする。
【００２６】
図２は、図１の携帯通信装置の詳細を示すブロック図である。なお、図２では、同一構成の第１及び第２の携帯通信装置３ａ及び３ｂの一方についてのみ携帯通信装置３として主に説明する。
【００２７】
携帯通信装置３は、ネットワーク通信部７、近距離無線通信部９、操作表示部１１、記憶部１３、制御部１５等を備える。
【００２８】
ネットワーク通信部７は、ネットワークによってサーバー５等を含む外部装置との間でデータの送受信を行うデバイスである。
【００２９】
近距離無線通信部９は、Ｂｌｕｅｔｏｏｔｈ（登録商標）等の近距離無線によって、他の携帯通信装置等との間でデータの送受信を行うデバイスである。
【００３０】
操作表示部１１は、タッチパネル式の画面を含み、携帯通信装置３に対する操作入力及び操作状態の表示を行う入力装置及び出力装置として機能する。
【００３１】
記憶部１３は、処理に必要なデータやプログラムを記憶するＲＯＭ（Read Only Memory）、作業領域としてのＲＡＭ（Random Access Memory）、補助記憶装置としてのＨＤＤ（Hard Disk Drive）等を含む記憶装置である。
【００３２】
制御部１５は、ＣＰＵ（Central Processing Unit）等の演算処理装置であり、プログラムを実行して携帯通信装置３の各部を制御する。実施例１の制御部１５は、記憶部１３内のプログラムを実行することにより、識別情報取得部１７、検索部１９、通知部２１として機能する。
【００３３】
識別情報取得部１７は、識別情報取得機能を実現し、ユーザーＩＤを自装置（例えば図１の第１の携帯通信装置３ａ）から送信すると共に通信範囲内の他の携帯通信装置（例えば図１の第２の携帯通信装置３ｂ）から送信されたユーザーＩＤを受信により取得する。
【００３４】
検索部１９は、検索機能を実現し、取得したユーザーＩＤに基づいて他の携帯通信装置のユーザーから自装置のユーザーへ送信されている未読の電子メールをサーバー５から検索する。具体的には、検索部１９がユーザーＩＤをサーバー５に送信して、サーバー５に検索を行わせる。
【００３５】
通知部２１は、通知機能を実現し、検索部１９で検索された未読の電子メールが存在する場合に、未読の電子メールの存在を自装置のユーザーに通知する。実施例１では、未読の電子メールに対する操作画面２３を操作表示部１１上に通知として表示し、自装置のユーザーによる電子メールの既読化操作を受け付ける。
【００３６】
図３は、携帯通信装置３の操作画面２３の一例を示す概略図である。なお、図３は、第１の携帯通信装置３ａにおいて、第２のユーザーＢからの未読の電子メールの存在を通知する例である。
【００３７】
図３のように、操作画面２３上には、未読の電子メールの存在を通知するテキスト、電子メールの内容、既読化操作を受け付けるための既読ボタン（「既読にする」ボタン）、及び既読化操作を受け付けないための未読ボタン（「未読のまま」ボタン）が表示されている。なお、未読の電子メールが複数存在する場合は、図３の操作画面２３を表示する前に、未読の電子メールの一覧を表示してもよい。
【００３８】
既読ボタンがタッチ操作された場合は、通知部２１が既読通知をサーバー５に送信し、サーバー５で対応する未読の電子メールが既読状態となる。
【００３９】
また、通知部２１は、携帯通信装置３の既存のスピーカー、ライト、振動機能を利用して、音響、光学、又は振動による信号を発生させ、未読の電子メールの存在を自装置のユーザーに通知する。音響、光学、又は振動による信号は、未処理のアクションの種類（未読の電子メール又は実施例２の未承認の承認要求等）又は自装置と他の携帯通信装置との距離に応じて異なるものとしてもよい。
【００４０】
また、通知部２１は、未読の電子メールの存在を他の携帯通信装置に対して通知する。逆に他の携帯通信装置から未読の電子メールの存在が通知された場合は、通知部２１が音響、光学、又は振動による信号を発生させ、他の携帯通信装置のユーザーに送信した電子メールが未読であることを自装置のユーザーに通知する。この場合も、図３のような操作画面２３を表示させてもよい。
【００４１】
［未読の電子メールの通知処理］
図４は、未読の電子メールの通知処理の流れを示すフローチャートである。
【００４２】
実施例１の通知処理は、第１の携帯通信装置３ａを所持する第１のユーザーＡと第２の携帯通信装置３ｂを所持する第２のユーザーＢとが、相互に近距離無線通信の通信範囲内に入ることで開始される。なお、実施例１では、図１の例により説明する。
【００４３】
ステップＳ１では、「第２のユーザーのユーザーＩＤの取得」が実行される。すなわち、第１の携帯通信装置３ａの識別情報取得部１７は、通信範囲内に位置する第２の携帯通信装置３ｂから送信された第２のユーザーＢのユーザーＩＤを近距離無線通信によって取得する。
【００４４】
次いで、ステップＳ２では、「第２のユーザーからの未読メールがあるか？」の判断が実行される。すなわち、第１の携帯通信装置３ａの検索部１９は、サーバー５に第２のユーザーＢのユーザーＩＤを送信し、第２のユーザーＢが送信した未読の電子メールの有無を問い合わせる。
【００４５】
サーバー５では、受信したユーザーＩＤをキーに、管理している電子メールから第２のユーザーＢが第１のユーザーＡに送信した未読の電子メールの有無を判断する。判断結果は、サーバー５から問い合わせ元の第１の携帯通信装置３ａに返される。なお、未読の電子メールが存在する場合、サーバー５は、判断結果に代えて又は判断結果と共に、未読の電子メールを第１の携帯通信装置３ａに返す。
【００４６】
そして、第２のユーザーＢからの未読の電子メールが存在する場合は、ステップＳ３へ移行し（ＹＥＳ）、未読の電子メールが存在しない場合は、処理が終了する（ＮＯ）。なお、処理を終了する場合は、第１及び第２のユーザーＡ及びＢの接近を、両ユーザーに通知してもよい。
【００４７】
ステップＳ３では、「第１及び第２のユーザーへの通知」が実行される。すなわち、第１の携帯通信装置３ａの通知部２１は、自装置で音響、光学、又は振動による信号を発生させ、未読の電子メールの存在を第１のユーザーＡに通知する。
【００４８】
また、第１の携帯通信装置３ａの通知部２１は、未読の電子メールの存在を第２の携帯通信装置３ｂに対して通知する。これに応じて、第２の携帯通信装置３ｂの通知部２１は、自装置で音響、光学、又は振動による信号を発生させ、第１のユーザーＡに送信した電子メールが未読であることを第２のユーザーＢに通知する。
【００４９】
こうして第１及び第２のユーザーＡ及びＢの双方に、両ユーザーが接近していること、並びに第２のユーザーＢから第１のユーザーＡに送信した電子メールが未読であることを認識させることができる。
【００５０】
従って、第１及び第２のユーザーＡ及びＢは、未読の電子メールの内容を第２のユーザーＢから第１のユーザーＡに会話によって伝える等、未読の電子メールに関するコミュニケーションの活性化を図ることが可能となる。
【００５１】
ステップＳ４では、「第１のユーザーによる既読化操作を受け付けたか？」の判断が実行される。すなわち、第１の携帯通信装置３ａの通知部２１は、操作表示部１１上に図３の操作画面２３を表示して、第１のユーザーＡによる既読化操作として既読ボタンのタッチ操作を受け付けたか否かを判断する。
【００５２】
既読化操作を受け付けた場合は、ステップＳ５へ移行し（ＹＥＳ）、既読化操作を受け付けていない場合は、ステップＳ６へ移行する。
【００５３】
ステップＳ５では、「未読メールの既読化」が実行される。すなわち、第１の携帯通信装置３ａの通知部２１は、既読化操作の受け付けに応じて、既読通知をサーバー５に送信する。サーバー５では、既読通知の受信に応じて、対応する未読の電子メールを既読状態とする。
【００５４】
従って、例えば第１のユーザーＡは、会話により未読の電子メールを閲覧する必要がなくなった場合、第１の携帯通信装置３ａでの簡易な既読化操作によって未読の電子メールの既読化を行うことができる。
【００５５】
一方、ステップＳ６では、「第１のユーザーによる未読操作を受け付けたか？」の判断が実行される。すなわち、第１の携帯通信装置３ａの通知部２１は、第１のユーザーＡによる未読操作として未読ボタンのタッチ操作を受け付けたか否かを判断する。
【００５６】
未読操作を受け付けた場合は、処理が終了し（ＹＥＳ）、未読操作を受け付けていない場合は、ステップＳ５に戻って処理を繰り返す（ＮＯ）。
【００５７】
［実施例１の効果］
以上説明したように、実施例１の携帯通信装置３（例えば第１の携帯通信装置３ａ）は、近距離無線通信によって通信範囲内の他の携帯通信装置（例えば第２の携帯通信装置３ｂ）のユーザー（例えば第２のユーザーＢ）を識別するユーザーＩＤを取得する識別情報取得部１７と、取得したユーザーＩＤに基づいて他の携帯通信装置のユーザーから要求されている特定操作の未処理のアクションである未読の電子メールを検索する検索部１９と、検索部１９で検索された未読の電子メールが存在する場合に、未読の電子メールの存在を自装置のユーザー（例えば第１のユーザーＡ）に通知する通知部２１とを備える。
【００５８】
従って、実施例１では、第１及び第２のユーザーＡ及びＢ相互の接近を利用して、例えば第１のユーザーＡによる未読の電子メールに関するコミュニケーションの活性化を図る場合に、第１のユーザーＡに未読の電子メールの存在を認識させることができる。
【００５９】
このため、第１及び第２のユーザーＡ及びＢは、通知に基づいて未読の電子メールの内容を第２のユーザーＢから第１のユーザーＡに伝える等、未読の電子メールに関する円滑且つ確実なコミュニケーションが可能となる。
【００６０】
また、実施例１では、第１のユーザーＡだけでなく第２のユーザーＢにも第１のユーザーＡによる未読の電子メールの存在を通知して認識させるので、より円滑且つ確実な未読の電子メールに関するコミュニケーションが可能となる。
【００６１】
また、実施例１の携帯通信装置３では、通知部２１が未読の電子メールに対する操作画面を通知として表示し、自装置のユーザー（例えば第１のユーザーＡ）による操作を受け付ける。
【００６２】
すなわち、例えば会話によって未読の電子メールの内容を第２のユーザーＢから第１のユーザーＡに伝えた場合等は、第１のユーザーＡが未読の電子メールを閲覧する必要がない。
【００６３】
このため、実施例１では、会話を機に第１のユーザーＡが第１の携帯通信装置３ａで既読化操作を行うことによって、未読の電子メールの既読化を容易且つ確実に行うことができる。
【００６４】
また、通知部２１は、音響、光学、又は振動による信号を発生させることにより、未読の電子メールを自装置のユーザー（例えば第１のユーザーＡ）に確実に通知することができる。
【００６５】
なお、実施例１は、未処理のアクションとして未読の電子メールである場合について説明したが、ユーザーによる特定操作が要求されるアクションに広く適用することが可能である。
【００６６】
例えば、サーバークライアントシステムを用いた複数のユーザー間のワークフローでは、クライアント端末での各ユーザーの承認操作によって、複数の作業ステップを順次進めることができる。承認操作を行った後は、次の作業ステップにおいて、承認待ち状態、つまり承認要求がなされる。
【００６７】
このようなワークフローでは、特定操作である承認が要求されている未承認の承認要求が未処理のアクションとなり、実施例１のコミュニケーションシステム等を適用することが可能となる。
【００６８】
また、実施例１では、通知の対象となる未読の電子メールをサーバー５から検索していたが、例えば第１の携帯通信装置３ａで受信しつつ未読の電子メールを自装置から通知の対象として検索することも可能である。
【実施例２】
【００６９】
図５は、本発明の実施例２に係る携帯通信装置を有するコミュニケーションシステムを示す概念図である。なお、実施例２は、基本構成が実施例１と共通するため、対応する構成部分に同符号を付して重複した説明を省略する。また、携帯通信装置の詳細については、実施例１の図２を参照する。
【００７０】
［コミュニケーションシステムの構成］
実施例２のコミュニケーションシステム１は、第１のユーザーＡ及び第２のユーザーＢの相互の接近を利用して、未処理のアクションとしての未承認の承認要求に関するコミュニケーションの活性化を図るものである。
【００７１】
また、実施例２では、第２のユーザーＢに対する未承認の承認要求が存在する場合に、第１の携帯通信装置３ａで第１のユーザーＡに未承認の承認要求の存在を操作画面２３により通知し、且つ操作画面２３上で第２のユーザーＢによる承認操作を受け付ける。
【００７２】
同様に、図５に示していないが、第２の携帯通信装置３では、第１のユーザーＡに対する未承認の承認要求が存在する場合に、第２のユーザーＢに未承認の承認要求の存在を操作画面２３により通知し、且つ操作画面２３上で第１のユーザーＡによる承認操作を受け付ける。
【００７３】
このため、実施例２では、第１の携帯通信装置３ａ及び第２の携帯通信装置３ｂの検索部１９及び通知部２１が実施例１とは異なる動作を実行する。
【００７４】
検索部１９は、識別情報取得部１７で取得したユーザーＩＤに基づいて、他の携帯通信装置のユーザーに対する未承認の承認要求をサーバー５から検索する。なお、サーバー５は、承認要求を管理するサーバー装置である。
【００７５】
通知部２１は、検索部１９で検索された未承認の承認要求が存在する場合に、未承認の承認要求の存在を自装置のユーザーに通知する。実施例２では、未承認の承認要求に対する承認要求画面である操作画面２３を操作表示部１１上に通知として表示し、他の通信端末装置のユーザーによる承認操作を受け付ける。
【００７６】
図６は、携帯通信装置３の操作画面２３の一例を示す概略図である。なお、図６は、第１の携帯通信装置３ａにおいて、第２のユーザーＢによる承認操作を受け付ける例である。
【００７７】
図６のように、操作画面２３上には、承認操作を受け付けるための承認ボタン（「承認にする」ボタン）、及び非承認操作を受け付けるための非承認ボタン（「承認しない」ボタン）が表示されている。なお、図６では、承認要求の内容等は省略している。
【００７８】
承認ボタンがタッチ操作された場合は、通知部２１が承認済み通知をサーバー５に送信し、サーバー５で対応する承認要求に対する承認がなされたものとなる。また、非承認ボタンがタッチ操作された場合は、通知部２１が非承認済み通知をサーバー５に送信し、サーバー５で対応する承認要求に対する非承認がなされたものとなる。従って、何れの場合も、承認要求が処理済みとなる。
【００７９】
図６の操作画面２３は、携帯通信装置３（例えば第１の携帯通信装置３ａ）及び他の携帯通信装置（例えば第２の携帯通信装置３ｂ）が、相互に通信範囲外となった場合に非表示としてもよい。
【００８０】
［未承認の承認要求の通知処理］
図７は、未承認の承認要求の通知処理の流れを示すシーケンス図である。
【００８１】
実施例２の通知処理は、第１の携帯通信装置３ａを所持する第１のユーザーＡ及び第２の携帯通信装置３ｂを所持する第２のユーザーＢが、相互に近距離無線通信の通信範囲内に入ることで開始される。なお、実施例２では、第２のユーザーＢに対する承認要求が未処理であることを第１のユーザーＡが認識しており、第１のユーザーＡが第２のユーザーＢに承認をもらいに行く場合を例に説明する。
【００８２】
まず、第１のユーザーＡは、第１の携帯通信装置３ａを所持して、第２の携帯通信装置３ｂを所持する第２のユーザーＢに接近する（ＳＱ１）。
【００８３】
これにより、第１の携帯通信装置３ａが第２の携帯通信装置３ｂの通信範囲内に入ると、第１の携帯通信装置３ａは、第２の携帯通信装置３ｂから第２のユーザーＢのユーザーＩＤを近距離無線通信によって識別情報取得部１７が取得する（ＳＱ２）。
【００８４】
次いで、第１の携帯通信装置３ａは、検索部１９により取得したユーザーＩＤをサーバー５に対して送信し（ＳＱ３）、サーバー５でユーザーＩＤをキーに第２のユーザーＢによる未承認の承認要求の検索を行わせる（ＳＱ４）。
【００８５】
サーバー５では、未承認の承認要求が検索されると、未承認の承認要求に関するデータを第１の携帯通信装置３ａに送信する（ＳＱ５）。
【００８６】
第１の携帯通信装置３ａは、サーバー５からデータを受信すると、未承認の承認要求の存在の通知として図６の操作画面２３を操作表示部１１上に表示し、第２のユーザーＢによる承認操作である承認ボタンのタッチ操作を受け付ける（ＳＱ６）。なお、第１のユーザーＡが未承認の承認要求の存在を認識していない場合は、操作画面２３による通知により未承認の承認要求の存在を認識できる。
【００８７】
承認操作の受け付けの際は、第１のユーザーＡが第２のユーザーＢとの会話を通じ、承認操作を促すことができる。
【００８８】
なお、操作画面２３の表示の際は、図４のステップＳ３と同様に、第１のユーザーＡ及び第２のユーザーＢが未承認の承認要求の存在を認識していないこともあるから、第１のユーザーＡ及び第２のユーザーＢに対して音響信号等による通知を行ってもよい。
【００８９】
承認操作の受け付けに応じて第２のユーザーＢが第１の携帯通信装置３ａの操作画面２３上で承認操作をすると（ＳＱ７）、第１の携帯通信装置３ａは、通知部２１により承認済み通知をサーバー５に送信する。サーバー５では、承認済み通知の受信に応じて、対応する未承認の承認要求を承認済み状態とする。
【００９０】
第２のユーザーＢが承認操作を行う際は、操作画面２３上でパスワード等を入力させ、セキュリティの向上を図ってもよい。
【００９１】
［実施例２の効果］
以上説明したように、実施例２の携帯通信装置３（例えば第１の携帯通信装置３ａ）は、近距離無線通信によって通信範囲内の他の携帯通信装置（例えば第２の携帯通信装置３ｂ）のユーザー（例えば第２のユーザーＢ）を識別するユーザーＩＤを取得する識別情報取得部１７と、取得したユーザーＩＤに基づいて他の携帯通信装置のユーザーへ要求している特定操作の未処理のアクションである未承認の承認要求を検索する検索部１９と、検索部１９で検索された未承認の承認要求が存在する場合に、未承認の承認要求の存在を自装置のユーザー（例えば第１のユーザーＡ）に通知する通知部２１とを備える。
【００９２】
従って、実施例２では、例えば第２のユーザーＢへ要求している未承認の承認要求に対しても、実施例１と同様の作用効果を奏することを可能とする。
【００９３】
また、通知部２１は、未承認の承認要求に対する他の携帯通信装置のユーザー（例えば第２のユーザーＢ）による承認操作を受け付けるための操作画面２３を通知として表示する。
【００９４】
従って、実施例２では、コミュニケーションとしての会話を機に、第１のユーザーＡが第１の携帯通信装置３ａで近接している第２のユーザーＢによる承認操作を行わせることができ、第２のユーザーＢに対して円滑且つ確実に承認させることが可能となる。
【００９５】
その他、実施例２でも、実施例１と同様の作用効果を奏することができる。
【符号の説明】
【００９６】
３  携帯通信装置
３ａ  第１の携帯通信装置
３ｂ  第２の携帯通信装置
１７  識別情報取得部
１９  検索部
２１  通知部
２３  操作画面
【図２】
2016208459.tif 000003
【図４】
2016208459.tif 000004
【図７】
2016208459.tif 000005
【図１】
2016208459.tif 000006
【図３】
2016208459.tif 000007
【図５】
2016208459.tif 000008
【図６】
2016208459.tif 000009